(57)【要約】【課題】衝撃に強いキャスター取り付け部を備えたスーツケースを提供する。【解決手段】スーツケース１は、アルミニウムを含む金属で形成され、下端部１１にキャスター取り付け部１００を有する収納部１０と、キャスター取り付け部に取り付けられるキャスター３０とを具備する。キャスター取り付け部は、収納部の下端部における収納部の底面１２、第１及び第２側面１３ａ、１３ｂに形成されたキャスター取り付け開口部１４と、収納部と一体形成され、収納部の第１及び第２側面におけるキャスター取り付け開口部から突出して設けられた第１及び第２突起部１７、１８とを備える。第１及び第２突起部は収納部の底面と水平な方向に折り曲げられており、第１及び第２突起部の端部は互いに重なっている。【選択図】図１
2020179003.tif 000002
【特許請求の範囲】
【請求項１】
アルミニウムを含む金属で形成され、下端部にキャスター取り付け部を有する収納部と、
前記キャスター取り付け部に取り付けられるキャスターと
を具備し、
前記キャスター取り付け部は、
前記収納部の前記下端部における前記収納部の底面、第１側面及び第２側面に形成されたキャスター取り付け開口部と、
前記収納部と一体形成され、前記収納部の前記第１側面における前記キャスター取り付け開口部から突出して設けられた第１突起部と、
前記収納部と一体形成され、前記収納部の前記第２側面における前記キャスター取り付け開口部から突出して設けられた第２突起部と
を備え、
前記第１及び第２突起部は前記収納部の前記底面と水平な方向に折り曲げられており、前記第１及び第２突起部の端部は互いに重なっていることを特徴とするスーツケース。
【請求項２】
前記第１突起部の端部は、前記第２突起部の根本の方向に向くように曲がっている
ことを特徴とする請求項１に記載のスーツケース。
【請求項３】
前記キャスター取り付け開口部にはめ込み可能なハウジングをさらに具備し、
前記ハウジングは、
本体部と、
前記本体部上に設けられた支持部と、
前記支持部上に設けられた凸部と
を備え、
前記ハウジングが前記キャスター取り付け開口部にはめ込まれた場合、
前記凸部は、前記第１及び第２突起部の重なり箇所に隣接する開口に挿入され、
前記支持部は、前記第１及び第２突起部を支持することを特徴とする請求項１又は２に記載のスーツケース。
【請求項４】
前記支持部は、複数の溝を有していることを特徴とする請求項３に記載のスーツケース。
【請求項５】
前記支持部の複数の溝は、前記本体部の中央部分より前記第１及び第２突起部の根本付近に多いことを特徴とする請求項４に記載のスーツケース。
【発明の詳細な説明】
【技術分野】
【０００１】
本発明は、衝撃に強いキャスター取り付け部を備えたスーツケースに関する。
【背景技術】
【０００２】
スーツケースは、一般的に、収納部の下端部に取り付けられたハウジングに、キャスターがはめ込まれている。
このようなスーツケースが、例えば凸凹な地面を移動する場合、振動がキャスターからハウジングを介して収納部に伝わる。このため、スーツケースを大きな衝撃に耐え得る構造にすることで、スーツケースの変形や破断の発生を抑制している。
【０００３】
例えば、特許文献１に記載されたスーツケースでは、収納部の底面に複数のリブ及び溝部が形成され、収納部の底面の強度が高められている。これにより、収納部の底面に取り付けられるキャスターからの振動が収納部の底部に伝わっても、収納部の底面が破損することを抑制している。
【先行技術文献】
【特許文献】
【０００４】
【特許文献１】実用新案登録第３２１８１２１号
【発明の概要】
【発明が解決しようとする課題】
【０００５】
しかしながら、キャスターに大きな衝撃が加わった場合、キャスターが取り付けられるキャスター取り付け部分に衝撃が集中している。例えば、キャスターが直接はめ込まれるハウジングや、このハウジングをはめ込む収納部の下端部に、変形や破断、亀裂等が生じやすい。
そこで、本発明は、衝撃に強いキャスター取り付け部を備えたスーツケースを提供する。
【課題を解決するための手段】
【０００６】
本発明の一態様によるスーツケースは、アルミニウムを含む金属で形成され、下端部にキャスター取り付け部を有する収納部と、前記キャスター取り付け部に取り付けられるキャスターとを具備し、前記キャスター取り付け部は、前記収納部の前記下端部における前記収納部の底面、第１側面及び第２側面に形成されたキャスター取り付け開口部と、前記収納部と一体形成され、前記収納部の前記第１側面における前記キャスター取り付け開口部から突出して設けられた第１突起部と、前記収納部と一体形成され、前記収納部の前記第２側面における前記キャスター取り付け開口部から突出して設けられた第２突起部とを備え、前記第１及び第２突起部は前記収納部の前記底面と水平な方向に折り曲げられており、前記第１及び第２突起部の端部は互いに重なっている。
【０００７】
前記第１突起部の端部は、前記第２突起部の根本の方向に向くように曲がっていてもよい。
【０００８】
前記本発明の一態様によるスーツケースにおいて、前記キャスター取り付け開口部にはめ込み可能なハウジングをさらに具備し、前記ハウジングは、本体部と、前記本体部上に設けられた支持部と、前記支持部上に設けられた凸部とを備え、前記ハウジングが前記キャスター取り付け開口部にはめ込まれた場合、前記凸部は、前記第１及び第２突起部の重なり箇所に隣接する開口に挿入され、前記支持部は、前記第１及び第２突起部を支持してもよい。
【０００９】
前記支持部は、複数の溝を有していてもよい。前記支持部の複数の溝は、前記本体部の中央部分より前記第１及び第２突起部の根本付近に多くてもよい。
【発明の効果】
【００１０】
本発明は、衝撃に強いキャスター取り付け部を備えたスーツケースを提供することができる。
【図面の簡単な説明】
【００１１】
【図１】図１は、本発明の一実施形態に係るスーツケースのキャスター取り付け部の概略図を示す。
【図２】図２は、本発明の一実施形態に係るキャスター取り付け部におけるキャスター取り付け開口部周辺の斜視図を示す。
【図３】図３（ａ）乃至（ｃ）は、本発明の一実施形態に係るキャスター取り付け部における他のキャスター取り付け開口部周辺の斜視図を示す。
【図４】図４は、本発明の一実施形態に係るスーツケースのキャスター取り付け部のハウジングの斜視図を示す。
【図５】図５は、本発明の一実施形態に係るハウジングをはめ込んだ場合のキャスター取り付け部の斜視図を示す。
【図６】図６は、本発明の一実施形態に係るハウジングをはめ込んだ場合のキャスター取り付け部の斜視図を示す。
【発明を実施するための形態】
【００１２】
以下、実施形態について、図面を参照して説明する。尚、以下の説明において、同一の機能及び構成を有する要素については、共通する参照符号を付す。
【００１３】
［１］スーツケース
図１は、本発明の一実施形態に係るスーツケースのキャスター取り付け部の概略図を示す。以下、本実施形態に係るスーツケースのキャスター取り付け部の構成について説明する。尚、スーツケースの部品については、図示する部品に限定されず、適宜追加、変更等が可能である。
【００１４】
図１に示すように、スーツケース１は、収納部１０（１０ａ、１０ｂ）及びキャスター３０を備えている。
【００１５】
収納部１０は、所定容量の衣服類等の荷物を収納及び保管することができ、ヒンジ部（図示せず）を介して開閉可能になっている。収納部１０は、アルミニウムを含む金属（例えば、アルミニウム、アルミニウム合金等）で形成された金属製になっている。２つの収納部１０ａ、１０ｂは、それぞれ一枚の金属板からなり、プレスにより所望の形状に形成されている。２つの収納部１０ａ、１０ｂは、同じ形状であってもよく、異なる形状であってもよい。例えば、本図の場合、収納部１０ｂは、収納部１０ａよりも容積の大きな形状となっている。
【００１６】
キャスター３０は、収納部１０の下端部１１に取り付けられている。キャスター３０が回転することで、スーツケース１を容易に移動させることができる。キャスター３０は、１つのスーツケース１に対して４個設けられ、収納部１０ａ、１０ｂにそれぞれ２個ずつ設けられている。但し、本実施形態は、４輪キャスターに限定されず、例えば、２輪キャスターでもよい。
【００１７】
このような本実施形態のスーツケース１におけるキャスター取り付け部１００は、収納部１０の下端部１１にキャスター取り付け開口部１４を有している。このキャスター取り付け開口部１４にハウジング４０がはめ込まれ、このハウジング４０を介してキャスター３０が収納部１０に取り付けられている。
【００１８】
［２］キャスター取り付け開口部周辺
図２は、本発明の一実施形態に係るキャスター取り付け部におけるキャスター取り付け開口部周辺の斜視図を示す。図３（ａ）乃至（ｃ）は、本発明の一実施形態に係るキャスター取り付け部における他のキャスター取り付け開口部周辺の斜視図を示す。これらの図は、キャスター取り付け開口部周辺の構造を説明するために、ハウジング及びキャスター等を省略し、収納部の内側から見た図となっている。以下、本実施形態に係るキャスター取り付け開口部周辺の構造について説明する。
【００１９】
図２に示すように、スーツケース１のキャスター取り付け部１００において、収納部１０の下端部１１には、キャスター取り付け開口部１４が設けられている。キャスター取り付け開口部１４は、収納部１０の下端部１１における底面１２、第１側面１３ａ及び第２側面１３ｂに穴が開いて形成されている。
【００２０】
キャスター取り付け開口部１４の周囲には、縁部１５が形成されている。縁部１５は、収納部１０の内側に突出した段差を形成している。縁部１５には、穴１６が設けられている。この穴１６を用いて、後述するハウジング４０が固定される。
【００２１】
縁部１５におけるキャスター取り付け開口部１４側の端には、第１及び第２突起部１７、１８が設けられている。第１及び第２突起部１７、１８は、収納部１０を形成する金属板と一体的に形成されている。第１突起部１７は、収納部１０の第１側面１３ａにおける縁部１５の端から伸びている。第２突起部１８は、収納部１０の第２側面１３ｂにおける縁部１５の端から伸びている。そして、第１及び第２突起部１７、１８は、収納部１０の底面１２と水平なＸ方向に折り曲げられている。
【００２２】
第１及び第２突起部１７、１８の端部は、互いに重なっている。第１突起部１７の端部は、第２突起部１８の根本の方向に向くように曲がっている。第２突起部１８の端部は、第１突起部１７の根本の方向に向くように曲がっている。
第１及び第２突起部１７、１８の重なり箇所Ａに隣接して、ハウジング挿入用の開口１９が形成されている。
【００２３】
収納部１０の底面において、金属板を重ね合わせた箇所Ｂをネジ２０でビス止めしている。この箇所Ｂにおいて、収納部１０の内側面には段差が生じている。
【００２４】
尚、第１及び第２突起部１７、１８の重なり箇所Ａの構造は、種々変更可能である。例えば、図３（ａ）に示すように、第１及び第２突起部１７、１８は、直角を描くように曲がっていてもよい。図３（ｂ）に示すように、第１及び第２突起部１７、１８の端部は、互いの根本まで伸びていてもよい。図３（ｃ）に示すように、第１及び第２突起部１７、１８は、ネジ２１でビス止めしてもよい。
【００２５】
［３］ハウジング
図４は、本発明の一実施形態に係るスーツケースのキャスター取り付け部のハウジングの斜視図を示す。本図は、ハウジングを収納部の内側から見た図となっている。以下、本実施形態に係るハウジングの構造について説明する。
【００２６】
図４に示すように、ハウジング４０は、本体部４１、支持部４２、凸部４３、縁部４６を備えている。
本体部４１は、収納部１０の内側に突出するような曲線を描いた形状になっている。但し、本体部４１は、曲線を描く形状に限定されない。
【００２７】
支持部４２は、本体部４１上に設けられている。支持部４２は、網目状の突起部を有している。換言すると、支持部４２は、複数の溝を有している。支持部４２の複数の溝は、本体部４１の中央部分よりも縁部４６（第１及び第２突起部１７、１８の根本）付近に多く形成されている。尚、支持部４２は、図示する形状に限定されず、第１及び第２突起部１７、１８に加わった衝撃が支持部４２の複数の突起部へ分散するように、第１及び第２突起部１７、１８と支持部４２との接触面が複数に分かれるとよい。
【００２８】
凸部４３は、支持部４２上に設けられている。凸部４３は、キャスター挿入穴４４及びねじ穴４５を有している。
縁部４６は、本体部４１の周りに、本体部４１から収納部１０の側面に沿うように突出して形成されている。縁部４６には、穴４７が設けられている。この穴４７は、収納部１０の縁部１５の穴１６に対応している。
【００２９】
［４］ハウジングのはめ込み
図５及び図６は、本発明の一実施形態に係るハウジングをはめ込んだ場合のキャスター取り付け部の斜視図を示す。図５は、キャスター取り付け部を収納部の内側から見た図となっている。図６は、キャスター取り付け部を収納部の外側から見た図となっている。以下、本実施形態に係るハウジングをはめ込んだ場合のキャスター取り付け部の構造について説明する。
【００３０】
図５に示すように、ハウジング４０がキャスター取り付け部１００に取り付けられた場合、ハウジング４０の本体部４１は、キャスター取り付け開口部１４にはめ込まれる。ハウジング４０の凸部４３は、第１及び第２突起部１７、１８の重なり箇所Ａに隣接する開口１９に挿入される。この際、支持部４２は、第１及び第２突起部１７、１８の重なり箇所Ａを支持する。
【００３１】
ハウジング４０の縁部４６は、収納部１０の縁部１５の段差にはめ込まれる。この際、ハウジング４０の穴４７は、収納部１０の縁部１５の穴１６の箇所と一致し、これらの穴１６、４７にねじ（図示せず）を挿入することで、ハウジング４０を収納部１０に固定することが可能である。
【００３２】
尚、キャスター取り付け部１００を収納部１０の外側から見た場合、図６に示すように、収納部１０の重なり箇所Ｂにおいて、収納部１０の外側の側面には段差が生じないように形成されている。また、ハウジング４０と収納部１０の側面も段差が生じないように形成されている。
ハウジング４０のキャスター挿入穴４４の周辺（支持部４２の裏面）には、網目状の突起部（複数の溝）４８が形成されている。
【００３３】
［５］効果
本実施形態のスーツケース１では、収納部１０ａ、１０ｂが金属製の一枚板でそれぞれ形成されている。そして、キャスター取り付け部１００における収納部１０には、キャスター取り付け開口部１４が形成され、このキャスター取り付け開口部１４から突出する第１及び第２突起部１７、１８が形成されている。この第１及び第２突起部１７、１８は、収納部１０の底面１２と水平な方向に折り曲げられて重ねられている。このため、スースケース１のキャスター３０に衝撃が加わった場合でも、収納部１０の縁部１５だけでなく、第１及び第２突起部１７、１８に衝撃が分散され、収納部１０の縁部１５に衝撃が集中することが緩和される。これにより、キャスター取り付け部１００が変形、破断、亀裂等が生じることを抑制でき、衝撃に強いキャスター取り付け部を備えたスーツケースを提供することが可能となる。
【００３４】
さらに、本実施形態のハウジング４０には、本体部４１上に複数の溝（換言すると、複数の突起部）を有する支持部４２が形成されている。これにより、第１及び第２突起部１７、１８と支持部４２との接触面が複数に分かれている。このため、第１及び第２突起部１７、１８に加わった衝撃が、支持部４２の複数の突起部へ分散することで、キャスター取り付け部１００の破損等をさらに抑制できる。
【００３５】
また、本実施形態のハウジング４０における支持部４２の複数の溝は、本体部４１の中央部分よりも第１及び第２突起部１７、１８の根本付近に多く形成されている。これにより、第１及び第２突起部１７、１８の根本付近に加わる衝撃を、より多くの支持部の突起部へ分散することができ、キャスター取り付け部１００の破損抑制の効果をより高めることができる。
【００３６】
尚、本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。
【符号の説明】
【００３７】
１…スーツケース
１０、１０ａ、１０ｂ…収納部
１１…下端部
１２…底面
１３ａ…第１側面
１３ｂ…第２側面
１４…キャスター取り付け開口部
１５…縁部
１６…穴
１７…第１突起部
１８…第２突起部
１９…ハウジング挿入用の開口
２０、２１…ネジ
３０…キャスター
４０…ハウジング
４１…本体部
４２…支持部
４３…凸部
４４…キャスター挿入穴
４５…ねじ穴
４６…縁部
４７…穴
４８…突起部
１００…キャスター取り付け部
【図１】
2020179003.tif 000003
【図２】
2020179003.tif 000004
【図３】
2020179003.tif 000005
【図４】
2020179003.tif 000006
【図５】
2020179003.tif 000007
【図６】
2020179003.tif 000008